(57)【要約】【課題】複数の異なる操作によって同じ項目の設定をする場合に、設定の変更をユーザーが容易に把握することができる電子機器を提供する。【解決手段】本発明の電子機器は、ユーザーからの第１の種別の操作に応じて、所定の設定対象における複数の設定の候補を示す候補群を表示するように制御し、所定の条件を満たすと候補群を非表示とするように制御する表示制御手段と、第１の種別の操作に応じて、候補群を含む複数の候補から１つの設定を選択することにより、所定の設定対象を選択された設定に変更し、候補群を表示している場合に、ユーザーからの、第１の種別とは異なる第２の種別の操作があったことに応じて、所定の設定対象を、予め第２の種別の操作と対応させた設定に変更するとともに、候補群の表示を、変更された設定に対応するように更新するように制御する制御手段とを有することを特徴とする。【選択図】図３
2020005208.tif 000002
【特許請求の範囲】
【請求項１】
ユーザーからの第１の種別の操作に応じて、所定の設定対象における複数の設定の候補を示す候補群を表示するように制御し、所定の条件を満たすと前記候補群を非表示とするように制御する表示制御手段と、
前記第１の種別の操作に応じて、前記候補群を含む複数の候補から１つの設定を選択することにより、前記所定の設定対象を選択された設定に変更し、
前記候補群を表示している場合に、ユーザーからの、前記第１の種別とは異なる第２の種別の操作があったことに応じて、前記所定の設定対象を、予め前記第２の種別の操作と対応させた設定に変更するとともに、前記候補群の表示を、変更された設定に対応するように更新するように制御する制御手段と
を有することを特徴とする電子機器。
【請求項２】
前記制御手段は、前記候補群を表示していない場合に、前記第２の種別の操作がされても、前記候補群を表示しないように制御する
ことを特徴とする請求項１に記載の電子機器。
【請求項３】
前記表示制御手段は、前記第１の種別の操作に応じて、前記候補群を画像に重畳して表示するように制御し、前記所定の条件を満たすと、前記画像の表示を継続したまま前記候補群を非表示とするように制御する
ことを特徴とする請求項１または請求項２に記載の電子機器。
【請求項４】
前記所定の条件は、前記第１の種別の操作と前記第２の種別の操作のいずれもが所定時間にないことを含む
ことを特徴とする請求項１乃至３のいずれか１項に記載の電子機器。
【請求項５】
前記所定の条件は、前記候補群を非表示とする第３の種別の操作があったことを含む
ことを特徴とする請求項１乃至４のいずれか１項に記載の電子機器。
【請求項６】
ユーザーからの複数の操作を受け付ける特定の操作部材をさらに有し、
前記第１の種別の操作と前記第２の種別の操作はいずれも、前記特定の操作部材が受け付ける
ことを特徴とする請求項１乃至５のいずれか１項に記載の電子機器。
【請求項７】
前記特定の操作部材は、操作面へのタッチ操作を検出できるタッチ操作部材であり、
前記第１の種別の操作は、前記操作面へタッチしてタッチ位置を移動するスライド操作であり、
前記第２の種別の操作は、前記操作面へタッチしてタッチ位置を移動させずにタッチを離す操作であるタップ操作である
ことを特徴とする請求項６に記載の電子機器。
【請求項８】
前記所定の条件は、前記特定の操作部材に対するタッチが無く所定時間経過する
ことを含むことを特徴とする請求項７に記載の電子機器。
【請求項９】
撮像手段と、
接眼ファインダーとを更に有し、
前記接眼ファインダーに接眼した状態で、当該電子機器のグリップ部を保持した手の指で前記特定の操作部材に対する前記第１の種別の操作及び前記第２の種別の操作が可能であり、
前記表示制御手段は、前記候補群を、前記接眼ファインダーの内部の表示手段において
、前記撮像手段で撮像されているライブビュー画像に重畳して表示するように制御する
ことを特徴とする請求項６乃至８のいずれか１項に記載の電子機器。
【請求項１０】
前記制御手段は、
前記第１の種別の操作に応じて、変更前の設定に基づいて前記第１の種別の操作の操作量に応じた変更量で前記所定の設定対象の設定を変更し、
前記第２の種別の操作に応じて、変更前の設定に関わらず特定の設定に前記所定の設定対象の設定を変更するように制御する
ことを特徴とする請求項１乃至９のいずれか１項に記載の電子機器。
【請求項１１】
前記制御手段は、
前記第１の種別の操作に応じて、第１の分解能で前記所定の設定対象の設定を変更し、
前記第２の種別の操作に応じて、前記第１の分解能よりも粗い第２の分解能で前記所定の設定対象の設定を変更するように制御する
ことを特徴とする請求項１乃至９のいずれか１項に記載の電子機器。
【請求項１２】
前記所定の設定対象は、ＩＳＯ感度、シャッター速度、絞り値のいずれかである
ことを特徴とする請求項１乃至１１のいずれか１項に記載の電子機器。
【請求項１３】
前記所定の設定対象は、複数の画像のうちの表示する画像である
ことを特徴とする請求項１乃至１１のいずれか１項に記載の電子機器。
【請求項１４】
前記候補群は、前記複数の設定の候補を並べた目盛表示である
ことを特徴とする請求項１乃至１３のいずれか１項に記載の電子機器。
【請求項１５】
ユーザーからの第１の種別の操作に応じて、所定の設定対象における複数の設定の候補を示す候補群を表示するように制御し、所定の条件を満たすと前記候補群を非表示とするように制御する表示制御ステップと、
前記第１の種別の操作に応じて、前記候補群を含む複数の候補から１つの設定を選択することにより、前記所定の設定対象を選択された設定に変更し、
前記候補群を表示している場合に、ユーザーからの、前記第１の種別とは異なる第２の種別の操作があったことに応じて、前記所定の設定対象を、予め前記第２の種別の操作と対応させた設定に変更するとともに、前記候補群の表示を、変更された設定に対応するように更新するように制御する制御ステップと
を有することを特徴とする電子機器の制御方法。
【請求項１６】
コンピュータを、請求項１乃至１４のいずれか１項に記載された電子機器の各手段として機能させるためのプログラム。
【請求項１７】
コンピュータを、請求項１乃至１４のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、および電子機器の制御方法、プログラム、記憶媒体に関する。
【背景技術】
【０００２】
従来、電子機器の設定（変更）の手段として、ある設定項目（設定対象）の設定を操作量に応じて変更する操作と、当該設定項目に対して１つの予め定義された設定に変更する操作とを有する方法が提案されている。具体的には、操作量に応じて変更する操作では、例えば、電子機器の表示輝度を１００ｎｉｔから１１０ｎｉｔ、１２０ｎｉｔ、１３０ｎｉｔ、１４０ｎｉｔの４つのいずれかの候補に変更できる。また、予め定義された設定に変更する操作では、例えば、操作量に応じて変更する操作において２００ｎｉｔという候補がなく、電子機器の現在の表示輝度がいかなる場合でも、表示輝度を２００ｎｉｔにすることができる。
【０００３】
特許文献１では、設定値群の中から特定の設定値だけを操作量に応じて変更する操作と、設定値群を予め定義された設定に変更する操作とを有するパラメータ設定装置（電子機器）が提案されている。具体的には、パラメータ設定装置が備えるノブの回転量に応じて設定値を変更する個別モードと、選択可能なライブラリの一覧中の所定の設定値に変更する連動モードとが提案されている。
【先行技術文献】
【特許文献】
【０００４】
【特許文献１】特開２００４−１２８４２号公報
【発明の概要】
【発明が解決しようとする課題】
【０００５】
しかしながら、特許文献１では、当該２つの変更操作をそれぞれ異なる表示画面において行う必要があるため、ユーザーが、一方の変更操作を行った後に他方の変更操作を行う場合に表示画面が切り替わってしまう。つまり、従来は、複数の異なる操作によって、同じ設定項目の設定をする場合に、設定の変更をユーザーが容易に把握することができないことがあった。
【０００６】
したがって、本発明は、複数の異なる操作によって同じ項目の設定をする場合に、設定の変更をユーザーが容易に把握することができる電子機器を提供することを目的とする。
【課題を解決するための手段】
【０００７】
本発明の１つの態様は、
ユーザーからの第１の種別の操作に応じて、所定の設定対象における複数の設定の候補を示す候補群を表示するように制御し、所定の条件を満たすと前記候補群を非表示とするように制御する表示制御手段と、
前記第１の種別の操作に応じて、前記候補群を含む複数の候補から１つの設定を選択することにより、前記所定の設定対象を選択された設定に変更し、
前記候補群を表示している場合に、ユーザーからの、前記第１の種別とは異なる第２の種別の操作があったことに応じて、前記所定の設定対象を、予め前記第２の種別の操作と対応させた設定に変更するとともに、前記候補群の表示を、変更された設定に対応するように更新するように制御する制御手段と
を有することを特徴とする電子機器である。
【発明の効果】
【０００８】
本発明によれば、複数の異なる操作によって同じ項目を設定する場合に、設定の変更をユーザーがより容易に把握することができる。
【図面の簡単な説明】
【０００９】
【図１】本実施形態に係るデジタルカメラの外観図。
【図２】本実施形態に係るデジタルカメラのブロック図。
【図３】本実施形態に係るタッチバーに対する操作に応じた処理を示すフロー。
【図４】本実施形態に係るタッチバーに対する操作を説明する図。
【図５】本実施形態に係るタッチバーに対する操作による表示例を示す図。
【発明を実施するための形態】
【００１０】
＜デジタルカメラ１００の外観図＞
以下、図面を参照して本発明の好適な実施形態を説明する。図１（ａ），１（ｂ）に、本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。
【００１１】
表示部２８は、デジタルカメラ１００の背面に設けられた表示部であり、画像や各種情報を表示する。タッチパネル７０ａは、表示部２８の表示面（タッチ操作面）に対するタッチ操作を検出することができる。ファインダー外表示部４３は、デジタルカメラ１００の上面に設けられた表示部であり、シャッター速度や絞りをはじめとするデジタルカメラ１００の様々な設定値を表示する。シャッターボタン６１は撮影指示を行うための操作部材である。モード切替スイッチ６０は、各種モードを切り替えるための操作部材である。端子カバー４０は、デジタルカメラ１００を外部機器に接続する接続ケーブル等とのコネクタ（不図示）を保護するカバーである。
【００１２】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮとＯＦＦを切り替える操作部材である。サブ電子ダイヤル７３は回転操作部材であり、サブ電子ダイヤル７３を回すことで、選択枠（カーソル）の移動や画像送りなどが行える。４方向キー７４は、上、下、左、右部分をそれぞれ押し込み可能に構成され、４方向キー７４の押した部分に応じた処理が可能である。ＳＥＴボタン７５は、押しボタンであり、主に選択項目の決定などに用いられる。
【００１３】
動画ボタン７６は、動画撮影（記録）の開始や停止の指示に用いられる。ＡＥロックボタン７７は押しボタンであり、撮影待機状態でＡＥロックボタン７７を押下することにより、露出状態を固定することができる。拡大ボタン７８は、撮影モードのライブビュー表示（ＬＶ表示）において拡大モードのＯＮとＯＦＦを切り替えるための操作ボタンである。拡大モードをＯＮとしてからメイン電子ダイヤル７１を操作することにより、ライブビュー画像（ＬＶ画像）の拡大や縮小を行える。再生モードにおいては、拡大ボタン７８は、再生画像を拡大したり、その拡大率を増加させたりするための操作ボタンとして機能する。再生ボタン７９は、撮影モードと再生モードとを切り替えるための操作ボタンである。撮影モード中に再生ボタン７９を押下することで再生モードに移行し、記録媒体２００（後述）に記録された画像のうち最新の画像を表示部２８に表示させることができる。メニューボタン８１はメニュー画面を表示させる指示操作を行うために用いられる押しボタンであり、メニューボタン８１が押されると各種の設定が可能なメニュー画面が表示部２８に表示される。ユーザーは、表示部２８に表示されたメニュー画面と、４方向キー７４やＳＥＴボタン７５とを用いて直感的に各種設定を行うことができる。
【００１４】
タッチバー８２（マルチファンクションバー：Ｍ−Ｆｎバー）は、タッチ操作を受け付けることが可能なライン状のタッチ操作部材（ラインタッチセンサー）である。タッチバー８２は、通常の握り方（メーカー推奨の握り方）でグリップ部９０を握った右手の親指でタッチ操作可能（タッチ可能）な位置に配置されている。タッチバー８２は、タッチバー８２に対するタップ操作（タッチして所定期間以内に移動せずに離す操作）、左右へのスライド操作（タッチした後、タッチしたままタッチ位置を移動する操作）などを受け付け可能な受付部である。タッチバー８２は、タッチパネル７０ａとは異なる操作部材であり、表示機能を備えていない。
【００１５】
通信端子１０は、デジタルカメラ１００がレンズユニット１５０（後述；着脱可能）側と通信を行うための通信端子である。接眼部１６は、接眼ファインダー１７（覗き込み型のファインダー）の接眼部であり、ユーザーは、接眼部１６を介して内部のＥＶＦ２９（後述）に表示された映像を視認することができる。接眼検知部５７は、接眼部１６にユーザー（撮影者）が接眼しているか否かを検知する接眼検知センサーである。蓋２０２は、記録媒体２００（後述）を格納するスロットの蓋である。グリップ部９０は、ユーザーがデジタルカメラ１００を構える際に右手で握りやすい形状とした保持部である。グリップ部９０を右手の小指、薬指、中指で握ってデジタルカメラ１００を保持した状態で、右手の人差指で操作可能な位置にシャッターボタン６１とメイン電子ダイヤル７１が配置されている。また、同じ状態で、右手の親指で操作可能な位置に、サブ電子ダイヤル７３とタッチバー８２が配置されている。サムレスト部９１（親指待機位置）は、デジタルカメラ１００の背面側の、どの操作部材も操作しない状態でグリップ部９０を握った右手の親指を置きやすい箇所に設けられたグリップ部材である。サムレスト部９１は、保持力（グリップ感）を高めるためのラバー部材などで構成される。
【００１６】
＜デジタルカメラ１００の構成ブロック図＞
図２は、デジタルカメラ１００の構成例を示すブロック図である。レンズユニット１５０は、交換可能な撮影レンズを搭載するレンズユニットである。レンズ１０３は通常、複数枚のレンズから構成されるが、図２では簡略して一枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６，１０を介してシステム制御部５０と通信する。そして、レンズユニット１５０は、内部のレンズシステム制御回路４によって絞り駆動回路２を介して絞り１の制御を行う。また、レンズユニット１５０は、レンズシステム制御回路４によってＡＦ駆動回路３を介してレンズ１０３の位置を変位させることで焦点を合わせる。
【００１７】
シャッター１０１は、システム制御部５０の制御で撮像部２２の露光時間を自由に制御できるフォーカルプレーンシャッターである。
【００１８】
撮像部２２は、光学像を電気信号に変換するＣＣＤやＣＭＯＳ素子等で構成される撮像素子である。撮像部２２は、システム制御部５０にデフォーカス量情報を出力する撮像面位相差センサーを有していてもよい。Ａ／Ｄ変換器２３は、撮像部２２から出力されるアナログ信号をデジタル信号に変換する。
【００１９】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４は、撮像した画像データを用いて所定の演算処理を行い、システム制御部５０は、画像処理部２４により得られた演算結果に基づいて露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理、等が行われる。画像処理
部２４は更に、撮像した画像データを用いて所定の演算処理を行い、得られた演算結果に基づいてＴＴＬ方式のＡＷＢ（オートホワイトバランス）処理を行う。
【００２０】
Ａ／Ｄ変換器２３からの出力データは、画像処理部２４及びメモリ制御部１５を介してメモリ３２に書き込まれる。あるいは、Ａ／Ｄ変換器２３からの出力データは、画像処理部２４を介さずにメモリ制御部１５を介してメモリ３２に書き込まれる。メモリ３２は、撮像部２２によって得られＡ／Ｄ変換器２３によりデジタルデータに変換された画像データや、表示部２８やＥＶＦ２９に表示するための画像データを格納する。メモリ３２は、所定枚数の静止画像や所定時間の動画像および音声を格納するのに十分な記憶容量を備えている。
【００２１】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８やＥＶＦ２９に供給する。こうして、メモリ３２に書き込まれた表示用の画像データはＤ／Ａ変換器１９を介して表示部２８やＥＶＦ２９により表示される。表示部２８とＥＶＦ２９のそれぞれは、ＬＣＤや有機ＥＬ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９においてアナログ信号に変換し、表示部２８またはＥＶＦ２９に逐次転送して表示することで、ライブビュー表示（ＬＶ）が行える。以下、ライブビュー表示で表示される画像をライブビュー画像（ＬＶ画像）と称する。
【００２２】
ファインダー外表示部４３には、ファインダー外表示部駆動回路４４を介して、シャッター速度や絞りをはじめとするカメラの様々な設定値が表示される。
【００２３】
不揮発性メモリ５６は、電気的に消去・記録可能なメモリであり、例えばＥＥＰＲＯＭ等である。不揮発性メモリ５６には、システム制御部５０の動作用の定数、プログラム等が記録される。ここでいうプログラムとは、本実施形態にて後述する各種フローチャートを実行するためのプログラムのことである。
【００２４】
システム制御部５０は、少なくとも１つのプロセッサーまたは回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、表示部２８等を制御することにより表示制御も行う。
【００２５】
システムタイマー５３は、各種制御に用いる時間や、内蔵された時計の時間を計測する計時部である。
【００２６】
電源制御部８０は、電池検出回路、ＤＣ−ＤＣコンバータ、通電するブロックを切り替えるスイッチ回路等により構成され、電池の装着の有無、電池の種類、電池残量の検出などを行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２７】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
通信部５４は、無線または有線ケーブルによって接続された外部機器との間で、映像信号や音声信号の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、外部機器から画像データやその他の各種情報を受信することができる。
【００２９】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００３０】
接眼検知部５７は、接眼ファインダー１７（以後、単に「ファインダー」と記載する）の接眼部１６に対する目（物体）の接近（接眼）および離反（離眼）を検知する（接近検知）、接眼検知センサーである。システム制御部５０は、接眼検知部５７で検知された状態に応じて、表示部２８とＥＶＦ２９の表示（表示状態）／非表示（非表示状態）を切り替える。より具体的には、少なくとも撮影待機状態で、かつ、表示先の切替が自動切替である場合において、非接眼中は表示先を表示部２８として表示をオンとし、ＥＶＦ２９は非表示とする。また、接眼中は表示先をＥＶＦ２９として表示をオンとし、表示部２８は非表示とする。接眼検知部５７としては、例えば赤外線近接センサーを用いることができ、ＥＶＦ２９を内蔵するファインダー１７の接眼部１６への何らかの物体の接近を検知することができる。物体が接近した場合は、接眼検知部５７の投光部（図示せず）から投光した赤外線が物体で反射して赤外線近接センサーの受光部（図示せず）で受光される。受光された赤外線の量によって、物体が接眼部１６からどの距離まで近づいているか（接眼距離）も判別することができる。このように、接眼検知部５７は、接眼部１６への物体の近接距離を検知する接眼検知を行う。非接眼状態（非接近状態）から、接眼部１６に対して所定距離以内に近づく物体が検出された場合に、接眼されたと検出するものとする。接眼状態（接近状態）から、接近を検知していた物体が所定距離以上離れた場合に、離眼されたと検出するものとする。接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。なお、赤外線近接センサーは一例であって、接眼検知部５７には、接眼とみなせる目や物体の接近を検知できるものであれば他のセンサーを採用してもよい。
【００３１】
操作部７０は、ユーザーからの操作（ユーザー操作）を受け付ける入力部であり、システム制御部５０に各種の動作指示を入力するために使用される。図２に示すように、操作部７０は、モード切替スイッチ６０、シャッターボタン６１、電源スイッチ７２、タッチパネル７０ａ、タッチバー８２、等を含む。また、操作部７０は、その他の操作部材７０ｂとして、メイン電子ダイヤル７１、サブ電子ダイヤル７３、４方向キー７４、ＳＥＴボタン７５、動画ボタン７６、ＡＥロックボタン７７、拡大ボタン７８、再生ボタン７９、メニューボタン８１、等を含む。
【００３２】
モード切替スイッチ６０は、システム制御部５０の動作モードを静止画撮影モード、動画撮影モード、再生モード等のいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモード（Ｐモード）がある。また、撮影シーン別の撮影設定となる各種シーンモード、カスタムモード等がある。モード切替スイッチ６０より、ユーザーは、これらのモードのいずれかに直接切り替えることができる。あるいは、モード切替スイッチ６０で撮影モードの一覧画面に一旦切り替えた後に、表示された複数のモードのいずれかに、他の操作部材を用いて選択的に切り替えるようにしてもよい。同様に、動画撮影モードにも複数のモードが含まれていてもよい。
【００３３】
シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから、撮像された画像を画像ファイルとして記録媒体２００に書き込むまでの、一連の撮影処理の動作を開始する。
【００３４】
タッチパネル７０ａと表示部２８とは一体的に構成することができる。例えば、タッチパネル７０ａは、光の透過率が表示部２８の表示を妨げないように構成され、表示部２８の表示面の上層に取り付けられる。そして、タッチパネル７０ａにおける入力座標と、表示部２８の表示面上の表示座標とを対応付ける。これにより、あたかもユーザーが表示部２８上に表示された画面を直接的に操作可能であるかのようなＧＵＩ（グラフィカルユーザーインターフェース）を提供できる。システム制御部５０は、タッチパネル７０ａへの以下の操作、あるいは状態を検出できる。
【００３５】
・タッチパネル７０ａにタッチしていなかった指やペンが新たにタッチパネル７０ａにタッチしたこと、すなわちタッチの開始（以下、タッチダウン（Ｔｏｕｃｈ−Ｄｏｗｎ）と称する）
・タッチパネル７０ａを指やペンでタッチしている状態（以下、タッチオン（Ｔｏｕｃｈ−Ｏｎ）と称する）
・指やペンがタッチパネル７０ａをタッチしたまま移動していること（以下、タッチムーブ（Ｔｏｕｃｈ−Ｍｏｖｅ）と称する）
・タッチパネル７０ａへタッチしていた指やペンがタッチパネル７０ａから離れた（リリースされた）こと、すなわちタッチの終了（以下、タッチアップ（Ｔｏｕｃｈ−Ｕｐ）と称する）
・タッチパネル７０ａに何もタッチしていない状態（以下、タッチオフ（Ｔｏｕｃｈ−Ｏｆｆ）と称する）
【００３６】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出された後は、タッチオフとなる。
【００３７】
これらの操作・状態や、タッチパネル７０ａ上に指やペンがタッチしている位置座標は
内部バスを通じてシステム制御部５０に通知される。そして、システム制御部５０は通知された情報に基づいてタッチパネル７０ａ上にどのような操作（タッチ操作）が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル７０ａ上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を共にタッチして（マルチタッチして）、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものであってもよい。タッチパネルに対する接触があったことでタッチがあったと検出する方式や、タッチパネルに対する指やペンの接近があったことでタッチがあったと検出する方式があるが、いずれの方式でもよい。
【００３８】
また、システム制御部５０は、タッチバー８２への以下の操作、あるいは状態を検出できる。
・タッチバー８２にタッチしていなかった指が新たにタッチバー８２にタッチしたこと、すなわちタッチの開始（以下、タッチダウン（Ｔｏｕｃｈ−Ｄｏｗｎ）と称する）
・タッチバー８２を指でタッチしている状態（以下、タッチオン（Ｔｏｕｃｈ−Ｏｎ）と称する）
・指がタッチバー８２をタッチしたまま移動していること（以下、タッチムーブ（Ｔｏｕｃｈ−Ｍｏｖｅ）と称する）
・タッチバー８２へタッチしていた指がタッチバー８２から離れた（リリースされた）こと、すなわちタッチの終了（以下、タッチアップ（Ｔｏｕｃｈ−Ｕｐ）と称する）
・タッチバー８２に何もタッチしていない状態（以下、タッチオフ（Ｔｏｕｃｈ−Ｏｆｆ）と称する）
【００３９】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出された後は、タッチオフとなる。
【００４０】
これらの操作・状態や、タッチバー８２上に指がタッチしている位置座標は内部バスを通じてシステム制御部５０に通知され、システム制御部５０は通知された情報に基づいてタッチバー８２上にどのような操作（タッチ操作）が行なわれたかを判定する。タッチムーブについてはタッチバー８２上での水平方向（左右方向）の移動を検知する。タッチ位置が所定距離以上移動（所定量以上移動）したことが検出された場合はスライド操作が行なわれたと判定するものとする。タッチバー８２上に指をタッチし、スライド操作することなく、所定時間以内にタッチを離す操作があった場合に、タップ操作が行われたと判定するものとする。タッチバー８２は、本実施形態では、静電容量方式のタッチセンサーであるものとする。ただし、抵抗膜方式、表面弾性波方式、赤外線方式、電磁誘導方式、画像認識方式、光センサー方式等、別の方式のタッチセンサーであってもよい。
【００４１】
［デジタルカメラの表示動作について］
以下、本実施形態に係るデジタルカメラ１００の表示動作を説明する。本実施形態では、システム制御部５０は、タッチバー８２に対するスライド操作（第１の種別の操作）が行われた後の所定の時間において、さらにタッチバー８２に対するタップ操作（第２の種別の操作）が行われると、タップ操作により変更（設定）された設定をゲージ（候補群）に表示する。このことにより、本来はタッチバー８２の操作面に対するスライド操作の際にのみ表示されるゲージ（メーター表示、目盛表示）に、タップ操作により変更された設定が表示されるため、ユーザーは、容易に設定の変更を把握することができる。
【００４２】
以下、図３が示すフローチャートを用いて本実施形態における、タッチバー８２に対する操作に係る処理を詳細に説明する。なお、図３が示すフローチャートは、システム制御部５０が、不揮発性メモリ５６から読み出したプログラムをシステムメモリ５２に展開することにより実行される。デジタルカメラ１００を撮影モードで起動すると、撮像部２２によるライブビュー画像の撮像を開始し、表示部２８またはＥＶＦ２９に、図５（ａ）に示すような撮影待機画面を初期表示する。図５（ａ）では、ライブビュー画像（ＬＶ画像）５００に重畳して、ＩＳＯ感度表示領域５０２に現在設定されているＩＳＯ感度を表示した例を示している。なお、他の撮影設定（シャッター速度、絞り値、露出補正値、画像サイズなど）を表示しても良い。ただし、初期状態では、後述するゲージ５０１は表示されない。撮影待機画面を表示した状態で、図３の処理が開始される。また、システム制御部５０は、図３が示すフローチャートの処理を、撮影待機中に所定周期で繰り返し実行するものとする。なお、タッチバー８２に対する操作がされたとき、タッチバー８２に関してタッチオフの状態が所定時間経過したとき、タッチバー８２以外の操作部７０に対して操作がされたときなどに、このフローチャートの処理をシステム制御部５０が開始してもよい。
【００４３】
なお、本フローチャートでは、タッチバー８２に対するスライド操作やタップ操作により、システム制御部５０が、設定項目（設定対象）としてＩＳＯ感度を変更（設定）する例を示す。なお、設定対象はＩＳＯ感度に限るものではなく、他の設定対象にも本発明は適用可能である。例えば、デジタルカメラ１００のシャッター速度、ホワイトバランス、ピントの対象または方式、絞り数値、ＡＦ（オートフォーカス）、ズーム倍率、音量の変更（設定）がされてもよい。また、再生して表示する画像の変更操作にも適用可能である。例えば、タッチバー８２に対するスライド操作により複数の画像の選択肢の中から表示部２８に表示する画像を１つ設定することができ、タップ操作により現在表示部２８に表示されている画像の次の画像を全面表示することが設定できてもよい。なお、スライド操作で表示する画像を設定する際は、スライドの移動量に応じて、ファイル番号順において現在表示している画像の次の画像よりもさらに先の画像にも１回のスライド操作で切り替え可能であるものとする。また、タップ操作で表示する画像を設定する場合、タップ操作に応じて表示させる画像は、次の画像に限るものではない。１０枚先の画像、１００枚先の画像、次の撮影日の先頭の画像または同じ撮影日あるいは前の撮影日の先頭の画像を表示させる（つまりジャンプ再生）といったことも可能である。つまり、タッチバー８２に対するスライド操作により複数の選択肢（候補）から１つの設定を選択でき、タッチバー８２に対するタップ操作により予め対応された１つの設定ができればよい。
【００４４】
Ｓ３０１において、システム制御部５０は、タッチバー８２に対するスライド操作が行われたか否かを判定する。スライド操作が行われたと判定した場合はＳ３０２に遷移し、スライド操作が行われていないと判定した場合はＳ３０６に遷移する。なお、このとき、システム制御部５０は、タッチバー８２における有効範囲内の指の移動量と移動方向を検知する。また、有効範囲の一例を図４（ａ）の４０１に示す。なお、本実施形態では、タッチバー８２における有効範囲をタッチバー８２のタッチ検知面の全体としているが、それに限らず、例えば、タッチバー８２の中央から所定の距離内としてもよいし、任意の範
囲としてもよい。
【００４５】
Ｓ３０２において、システム制御部５０は、現在のＩＳＯ感度の設定値を含む（示す）ＩＳＯ感度の設定値の候補群を示すゲージ５０１が表示部２８に表示されているか否かを判定する。具体的には、システム制御部５０は、例えば、図５（ｂ）のＩＳＯ感度のゲージ５０１を非表示とする条件となるタイマーが満了しているか否かを判定する。満了している(計時していない)場合にはゲージ５０１は表示されておらず、満了せずに計時中であればゲージ５０１が表示中であると判定する。図５（ｂ）におけるＩＳＯ感度のゲージ５０１には、選択可能（設定可能）なＩＳＯ感度の設定値の候補が複数並んで表示されている。また、ゲージ５０１において縦線で刻まれた目盛のうち太線で描かれている箇所（すなわちゲージの中央）の上に示されている４００という値が現在のＩＳＯ感度の設定値である。ゲージ５０１が表示されていると判定した場合にはＳ３０４に遷移し、表示されていないと判定した場合にはＳ３０３に遷移する。なお、ゲージ５０１およびＩＳＯ感度表示領域５０２は、撮像画像（ＬＶ画像）などの視認を阻害しないように、表示画面の中央ではなく、下や右などに表示されることが望ましい。
【００４６】
Ｓ３０３において、システム制御部５０は、ゲージ５０１の表示部２８またはＥＶＦ２９への表示を開始する。ＩＳＯ感度が２００に設定されている状態から、右から左にスライド操作が行われたことによってゲージ５０１が表示された状態の表示例を図５（ｂ）に示す。ゲージ５０１は、タッチバー８２に対するスライドが行われたことに応じて表示開始される。そして、スライドが右に（タッチ位置が左から右に移動する操作）行われれば、ゲージ５０１もスライドに応答して右にスクロールして移動する様子が見て取れるアニメーション表示をする。これによってゲージ中の各数値、目盛は右から左に移動し、ゲージ５０１の中央に位置する目盛に対応する値が順次増加する。逆に、左から右にスライド操作が行われると、ゲージ５０１もスライドに応答して左から右にスクロールして移動するようにアニメーション表示される。これによってゲージ中の各数値と目盛は左から右に移動し、ゲージ５０１の中央に位置する目盛に対応する値が順次減少する。設定値は中央に位置する目盛に対応する数値となるように、スライドの移動量に応じて順次変更される。すなわち、設定値の変更量はスライドの移動方向と移動量に応じる。例えば、図５（ａ）に示すようにゲージ５０１が表示されていない状態でＩＳＯ感度が２００に設定されている場合に左に小さい移動量のスライド操作を行う。すると、ゲージ５０１が表示され、中央に位置する値が２００から４００まで移動するようにスクロール表示され、図５（ｂ）に示すＩＳＯ感度が４００に設定された状態となる。その状態からタッチを離さずに更にスライドの移動量を増加させ、タッチ位置を左に移動すると、ＩＳＯ感度の設定値は４００と１／３段、４００と２／３段、８００、８００と１／３段、８００と２／３段…と順次増加していく。ユーザーは所望の設定値に設定されたことをゲージ５０１で確認すると、タッチを離し、設定値を確定する。スライドの移動量が大きければ、ＩＳＯ感度が２００に設定された状態から１回のスライド操作で、ＩＳＯ感度を３２００（表示開始時点のゲージ５０１に含まれていない設定値候補）まで変更することも可能である。また、１回のスライド操作で変更可能な最大量よりも大きく設定値を変更させたい場合(例えばＩ
ＳＯ感度２００から１２８００に変更したい場合)には、同じ方向へのスライド操作を何
回か繰り返すことで変更可能である。なお、スライド操作に応じた設定値の変更は後述するＳ３０４、ゲージ５０１のアニメーション表示はＳ３０５で行われることであるが、設定値の変更とゲージ５０１の表示更新は実質的には同時に行われる。
【００４７】
Ｓ３０４において、システム制御部５０は、タッチバー８２へのスライドに応じたＩＳＯ感度の設定値を変更する。なお、ＩＳＯ感度の設定値の変更量は、上述したように、スライド操作での、タッチバー８２における有効範囲内の指の移動量と移動方向に依存する。すなわち、設定変更前の設定値に基づいて、設定変更前の設定値を起点としてスライド操作に応じた変更量で設定値を変更する。具体的には、システム制御部５０は、ゲージ５
０１に表示される、変更前の設定値を含む複数の設定の候補（候補群、ゲージ５０１に縦線で示される表示される各目盛に対応）を含む複数の候補から１つを選択することで設定値を変更（設定）する。
【００４８】
Ｓ３０５において、システム制御部５０は、スライド操作に応じて、設定されたＩＳＯ感度の設定値に対応する目盛が中央に位置するように、表示されているゲージ５０１をスクロール表示して更新する。図５（ｂ）は、スライド操作によってＩＳＯ感度を４００に設定した場合の表示例である。ゲージ５０１の中央に設定された値である４００に対応する目盛が位置するようにスクロールされる。また、ＩＳＯ感度表示領域５０２の値も、設定された設定値である４００を表示するように、ゲージ５０１のスクロールに連動して表示が更新される。なお、後述するタップでの設定値変更の場合とは異なり、スライドによる設定値変更の場合にはＩＳＯ感度表示領域５０２の強調表示は行わない。これは、スライドの操作中はユーザーはゲージ５０１に注目していると想定されるため、ゲージ５０１の中央部分の表示を見て変更された設定値を確実に認識できるためである。また、ゲージ５０１と異なる領域が強調表示されてしまうと、注意がゲージ５０１から逸れ、ゲージ５０１を見ながらの操作が行いにくくなるため、それを防止する目的もある。Ｓ３０４の設定値の変更と、Ｓ３０５でのゲージ５０１の表示更新は、タッチが継続している限り、スライドの移動に追従して繰り返し行われる。従ってユーザーは、ゲージ５０１の表示をみることで、スライド操作の移動量に応じて設定値が変更されていく様子を確認することができる。またユーザーは、スライドによって所望の値まで設定値が変更されたか否かを確認しながら、スライドの移動量を調整して操作することができる。またゲージ５０１は、ユーザーがファインダー１７に接眼している場合にはＥＶＦ２９に表示される。また、タッチバー８２は、グリップ部９０を持つ右手の親指で操作しやすい位置に配置されている。従って、ファインダー１７を覗きこんでいる撮影姿勢であっても、タッチバー８２を見ずにＥＶＦ９０に表示されたゲージ９０を見ながら、タッチバー８２へのスライド操作をすることで、ユーザーの設定したい設定値に操作性良く設定することができる。スライド操作の後にタッチが離されると、ゲージ５０１を自動的に非表示とするまでの無操作時間を計測するタイマー（例えば２秒）の計時を開始する。
【００４９】
Ｓ３０６において、システム制御部５０は、タッチバー８２に対してタップ操作が行われたか否かを判定する（右タップまたは左タップが行われたか否かを判定する）。タップ操作が行われたと判定した場合はＳ３０７に遷移し、タップ操作が行われていないと判定した場合はＳ３１３に遷移する。なお、タップ操作があったとしても、右タップでも左タップでもない場合には、Ｓ３０６ではＮｏと判定し、Ｓ３１３に進む。
【００５０】
Ｓ３０７において、システム制御部５０は、タッチバー８２対するタップ操作が左タップなのか、もしくは右タップなのかを判定する。左タップとは、タッチバー８２に指をタッチし、スライド操作することなく、所定の時間以内にタッチを離す操作であるタップ操作がタッチバー８２の左側（接眼部１６側）で行われる操作である。具体的には、図４（ｂ）の左側領域４０２（タッチバー８２のタッチ検知面のうち中央よりも左側の領域）にタップ操作がされるものが左タップである。一方、右タップとは、タッチバー８２の右側へのタップ操作であり、具体的には図４（ｂ）の右側領域４０３（タッチバー８２のタッチ検知面のうち中央よりも右側の領域）にタップ操作がされる操作である。タッチバー８２に対して左タップが行われたと判定した場合はＳ３０８に遷移し、そうでない場合（右タップが行われたと判定した場合）はＳ３０９に遷移する。
【００５１】
Ｓ３０８において、システム制御部５０は、タッチバー８２に対する左タップに応じた機能（左タップ処理）によってＩＳＯ感度の設定値を変更する。具体的には、システム制御部５０は、ＩＳＯ感度の設定値に対して、予め左タップと対応させた変更（設定）をする。例えば、ユーザーが予め、左タップに対応する機能として、ＩＳＯ感度の設定値を３
２００に設定する処理を予め割り当てておくことで、Ｓ３０８において、システム制御部５０はＩＳＯ感度の設定値を３２００に設定する。この場合、左タップの行われる前に設定されていたＩＳＯ感度の設定値に関わらず、左タップに応じてＩＳＯ感度は３２００に設定される。すなわち、左タップの行われる前にＩＳＯ感度が１２８００に設定されていたとしても、左タップを行えば、他の設定値を経由することなく、３２００にジャンプして設定可能である。また、仮に左タップに対応する設定値をＩＳＯ感度１２８００としていた場合、ＩＳＯ感度２００に設定されている状態で左タップが行われると、ＩＳＯ感度が１２８００に設定される。すなわち、スライドであれば何回かスライド操作を行わなければ設定出来ない設定値へも、１回のタップ操作で変更することができる。
【００５２】
Ｓ３０９において、システム制御部５０は、タッチバー８２に設定される右タップに応じた機能（右タップ処理）によってＩＳＯ感度の設定値を変更する。具体的には、システム制御部５０は、ＩＳＯ感度の設定値に対して、予め右タップに対応する設定値として割り当てた設定値に変更（設定）をする。例えば、右タップにＩＳＯオート（ＡＵＴＯ）が割り当てられていた場合、右タップに応じて、右タップの行われる前に設定されていたＩＳＯ感度に関わらず、ＩＳＯオート（ＡＵＴＯ）に変更する。なお、左タップおよび右タップに割り当てる設定値は、固定の値でも良いが、ユーザーが予め設定しておくことができるようにしても良い。例えば、ＩＳＯ感度の設定値のＡＵＴＯ、上限値(常用外)、常用ＩＳＯ感度の中の上限値、最低値等を、左タップや右タップに割り当てることができる。このように割り当てることで、スライド操作を何度も行うことなく、１回のタップ操作で、タップ操作に割り当てられた特定の設定値に設定できる。
【００５３】
Ｓ３１０において、システム制御部５０は、表示部２８に表示されているＩＳＯ感度表示領域５０２でのＩＳＯ感度の設定値の表示色を強調色に変更する。ゲージ５０１が表示されていない場合にタップ操作によって変更されたＩＳＯ感度の設定値が強調表示される場合の画面の表示例を図５（ｃ）に示す。図５（ｃ）は、図５（ａ）の状態から左タップが１回行われ、左タップに割り当てられたＩＳＯ感度３２００に設定した場合の表示例である。システム制御部５０は、タップ操作の前には図５（ａ）が示すようにＩＳＯ感度表示領域５０２が白背景かつ黒文字であるものを、タップ操作が行われることで、表示される設定値を変更するとともに、図５（ｃ）が示すようにＩＳＯ感度表示領域５０２を黒背景かつ白文字に変更する。ゲージ５０１を表示していなかった場合は、タップ操作によって何の設定値が変更されたのかユーザーが確認し難い。そのため、ＩＳＯ感度表示領域５０２の強調表示によって、タップ操作に応じてＩＳＯ感度の設定値が変更されたことをユーザーが確実に認識させる。なお、ＩＳＯ感度表示領域５０２における背景色および文字色は任意の色でよいが、例えばタップ操作前の文字色を白色にしてタップ操作後の文字色をオレンジ色にするなど、タップ操作後の色の方がタップ操作前の色よりも目立つようにすることが望ましい。
【００５４】
Ｓ３１１において、システム制御部５０は、タップ操作によって変更される設定項目（設定対象）と同じ設定項目を示すゲージが表示部２８に表示されているか否かを判定する。この判定は、Ｓ３０２の判定と同様である。本実施形態では、設定項目はＩＳＯ感度の設定値であるため、システム制御部５０は、ゲージ５０１が表示部２８に表示されているか否かを判定する。ゲージ５０１が表示されていると判定した場合はＳ３１２に遷移し、ゲージ５０１表示されていないと判定した場合は本フローチャートにおける処理を終了する。従って、表示部２８にゲージ５０１が表示されていない状態において、タッチバー８２に対してタップ操作がされた場合、図５（ｃ）に示すように、表示部２８にゲージ５０１を表示することなく設定値を変更し、ＩＳＯ感度表示領域５０２の表示を更新する。
【００５５】
Ｓ３１２において、システム制御部５０は、表示部２８に表示されているゲージ５０１を、タップ操作により変更されるＩＳＯ感度の設定値に応じて更新する。より詳しくは、
タップ操作によって変更された設定値に対応する目盛がゲージ５０１の中央に位置するように、ゲージ５０１をスクロールするアニメーション表示を行う。図５（ｄ）に、図５（ｂ）のようにゲージ５０１が表示されている場合に左タップが１回行われ、左タップに割り当てられたＩＳＯ感度３２００に設定した場合の表示例を示す。この場合、図５（ｂ）の状態から、ゲージ５０１に表示された各設定値候補の数値、目盛が左にスクロールしていき、図５（ｄ）の表示状態となる。同時に、ＩＳＯ感度表示領域５０２に表示される数値が３２００に変更され、強調表示される。これによって、タップ操作によって変更された設定値が、スライドで設定していた設定項目と同じ設定項目であり、スライドで設定可能な選択肢の群の中に存在する設定値であることをユーザーに認識させることができる。すなわち、スライド操作とタップ操作で変更される設定値の関係をユーザーに直感的に理解させることができる。仮に、ゲージ５０１が表示されている場合にタップ操作があった場合に、ゲージ５０１を更新せずにＩＳＯ感度の設定値だけ変更してしまうと、スライドとタップで設定される設定項目が同じであることをユーザーが理解できない可能性がある。例えば、スライドによってＩＳＯ感度を２００から４００に変更した後、タップによって３２００に変更した場合に、ユーザーがＩＳＯ感度はまだスライドで設定された４００のままであると誤認するおそれがある。すなわち、タップで変更された設定は、スライドで変更した設定とは異なる何か他の設定項目であるとユーザーが誤認するおそれがある。あるいは、同じ設定項目が変更されたと理解しているユーザーにとっては、ゲージ５０１がスクロールしないことに違和感を感じる可能性がある。これらの問題に対し、Ｓ３１２の処理によって、ゲージ５０１が表示中であった場合にはタップ操作で設定値を変更した場合にもゲージ５０１でスクロールするアニメーション表示が行われることにより、上述の問題を防止することができる。
【００５６】
一方で、Ｓ３１１において、システム制御部５０が、表示部２８にゲージ５０１が表示されていないと判定した場合には、上述のように、新たにゲージ５０１が表示部２８に表示されることはない。そのため、ゲージ５０１が表示されることによるＬＶ画像５００の視認性の阻害を防ぐことができる。タップによって設定値を特定の値に設定する場合には、スライドのようにゲージ５０１を見ながらスライドの移動量を調整して所望の値に調整する、といった操作量の調整を行う必要はない。従って、ゲージ５０１が表示されていなかった場合にはゲージ５０１は表示せずに、ＬＶ画像５００の視認性を妨げないことを優先する。
【００５７】
Ｓ３１３において、システム制御部５０は、表示部２８にゲージ５０１が表示されているか否かを判定する。ゲージ５０１が表示されていると判定した場合はＳ３１４に遷移し、表示されていないと判定した場合は本フローチャートの処理を終了する。なお、Ｓ３０５またはＳ３１２における処理が行われている場合には、表示部２８にゲージ５０１が表示されていることが分かるため、Ｓ３１３における処理をせずに、処理工程はＳ３１４に遷移してもよい。
【００５８】
Ｓ３１４〜Ｓ３１６では、ゲージ５０１の表示を消すための条件が満たされたか否かの判定である。
Ｓ３１４において、システム制御部５０は、タッチバー８２以外の操作部７０の各操作部材が操作されたか否かを判定する。この判定は、タッチバー８２以外の操作部７０の各操作部材が操作されている場合に、システム制御部５０がゲージ５０１を非表示にするために行われている。タッチバー８２以外の操作部７０が操作されたと判定した場合はＳ３１７に遷移し、操作されていないと判定した場合はＳ３１５に遷移する。例えば、メイン電子ダイヤル７１の回転操作でもＩＳＯ感度を変更することが可能である。そして、メイン電子ダイヤル７１に対する操作があった場合に、ＩＳＯ感度の設定値を変更するとともに、ゲージ５０１の表示を消して非表示とする。つまり、タッチバー８２に対するスライド操作とタップ操作によって変更（設定）することができる設定項目を、他の操作部材に
おいて変更（設定）する操作が行われた場合には、システム制御部５０はゲージ５０１を非表示にする。
【００５９】
Ｓ３１５において、システム制御部５０は、タッチバー８２がタッチオフ（無操作）の状態であるか否かを判定する。タッチオフの状態であると判定される場合はＳ３１６に遷移し、タッチオフの状態でないと判定される場合はフローチャートの処理を終了する。
【００６０】
Ｓ３１６において、システム制御部５０は、タッチバー８２がタッチオフの状態に変化してから所定の時間（所定時間）以上、例えば２秒以上、タッチバー８２へのタッチ操作が行われないまま経過したか否かを判定する。所定の時間以上経過したと判定した場合はＳ３１７に遷移し、所定の時間経過していないと判定した場合はフローチャートの処理を終了する。ここでは、システム制御部５０は、ユーザーの指やペンがタッチバー８２から離れた状態であるタッチオフからの経過時間で判定しているが、タッチバー８２に対する直近のスライド操作もしくはタップ操作からの経過時間で判定してもよい。なお、所定の時間は、ユーザーが予め設定した時間であってもよいし、ユーザーの年齢が高いほどまたは低いほど長く設定されてもよいし、過去のある所定期間におけるユーザーのタッチバー８２に対する誤操作が高頻度なほど長く設定されてもよい。つまり、ゆっくり操作するユーザーに対しては、表示部２８がゲージ５０１を長時間表示するようにして、設定変更の把握をより確実にしてもよい。
【００６１】
Ｓ３１７において、システム制御部５０は、ゲージ５０１を非表示にする。つまり、システム制御部５０は、タッチバー８２に対してスライド操作またはタップ操作が行われていない時間が所定の時間以上経てば、ゲージ５０１を非表示にする。もしくは、システム制御部５０は、ユーザーの指やペンとタッチバー８２との接触を検出しなくなってから、所定の時間以上経てば、ゲージ５０１を非表示にする。また、システム制御部５０は、タッチバー８２に以外の操作部７０に対する操作がされる場合も、ゲージ５０１を非表示にする。これらにより、ゲージ５０１の表示によりユーザーの表示画像の視聴（確認）を阻害することを抑えることができる。なお、当然のことであるが、Ｓ３１７において、システム制御部５０は、ゲージ５０１以外の表示は非表示にしない。つまり、システム制御部５０は、表示部２８に表示されているＬＶ画像などは非表示にはしない。従って、Ｓ３１７における処理は、いわゆるスクリーンセーバやオートシャットダウンとは異なる。
【００６２】
なお、上述の実施形態では、スライド操作に応じて特定の設定対象の設定（ＩＳＯ感度の設定）を所定の分解能で順次変更し（例えば１／３段刻みで順次変更し）、タップ操作に応じて同じ特定の設定対象の設定値を特定の設定に変更する例を説明した。しかしこれに限るものではなく、タップ操作に応じて特定の設定対象に設定するのではなく、タップ操作に応じて、スライドで変更可能な設定値の分解能より粗い分解能で設定値を変更する場合にも適用可能である。例えば、スライド操作に応じたＩＳＯ感度の設定値の最小変更単位を１／３段刻みとして、スライド操作に応じて１／３段ずつ順次切り替る。また、左タップに応じてＩＳＯ感度を現在の設定値より１段低い値に設定し、右タップに応じてＩＳＯ感度を現在の設定値よりも１段高い値に設定する。このような操作種別に対する機能割当とした場合にも本発明を適用可能である。また、タップ操作はタッチバー８２に対する位置に応じて左タップと右タップの２種類を異なる操作種別として判別する例を説明したが、これに限るものではない。タップを１種類とし、タッチバー８２に対するタッチ位置に関わらずタップが行われた場合には同じ操作種別であるタップ（左右の区別は無し）として扱っても良い。
【００６３】
また、本実施形態は、デジタルカメラ１００に限らず、パーソナルコンピュータやスマートフォン、タブレット端末、ＶＲ（Ｖｉｒｔｕａｌ  Ｒｅａｌｉｔｙ）装置などの電子機器に適用可能である。従って、複数の設定候補から１つの設定を選択できれば、スライ
ド操作でなくてもよく、例えば、レバーの位置を変更させる操作、ホイールを回転させる、電子機器を傾けるなどの電子機器が備える部材に応じた操作でよい。また、操作と対応するように予め決定した１つの設定ができれば、タップ操作である必要もなく、所定のボタンを押下する、所定のスイッチをオン／オフと切り替える、電子機器を上下に振る操作などの電子機器が備える部材に応じた操作でよい。したがって、例えば、ＶＲ装置において、ヘッドセットを所定方向に傾けると、傾きの角度に応じて設定候補から１つの設定が選択され、ヘッドセットを振る（前後振動等する）と予め決定した１つの設定にされるようにすれば、本実施形態は適用可能である。なお、このような、ＶＲ装置におけるヘッドギア（ゴーグル）による操作は、ヘッドギアの位置の安定性が悪いことから、ユーザーの誤操作が特に生じやすい。そのため、本実施形態による誤操作をユーザーに把握させることができるという効果が、このようなＶＲ装置では他の電子機器に比べて増大する。さらには、例えば、ユーザーの目の動きを捉えるセンサを備え、設定候補が表示された画面の当該候補のうち１つをユーザーが一定時間Ｔ１以上見ることで１つの設定ができ、一定時間Ｔ２以上目を閉じれば予め決定した設定がされる電子機器でも適用可能である。
【００６４】
また、本実施形態では、スライド操作とタップ操作を同じ操作部材であるタッチバー８２に対して行っているため、例えば、デジタルカメラ１００を手に持ちながらも、その手の１つの指でスライド操作とタップ操作との両方の操作が容易に可能である。また、タッチバー８２はライン状の操作部材であり、当該ライン状に沿った方向（水平方向）のスライド操作しか物理的にできない（させない）ため、ユーザーがタッチバー８２と指の関係を視覚的に確認することなくスライド操作とタップ操作が可能である。しかし、これには限定されず、スライド操作とタップ操作がそれぞれ異なる操作部材に行われてもよい。さらには、本実施形態では、スライド操作とタップ操作とが表示部２８やファインダー外表示部４３などの表示手段ではないタッチバー８２に行われるため、画面表示を阻害することなくユーザーがスライド操作やタップ操作を行うことができる。しかし、これには限定されず、例えば、表示部２８に対してスライド操作やタップ操作が行われてもよい。
【００６５】
以上によれば、１つの操作をした後のゲージが表示されている期間に、他の操作によって同じ設定項目の設定を変更する場合には、他の操作によって変更した設定が当該ゲージに表示されることで、設定の変更をユーザーがより容易に把握することができる。また、タッチバーがタッチオフの状態にされた時点から所定の時間のみ、当該ゲージが表示されるため、ユーザーの画像の確認の阻害を抑制することができる。
【００６６】
なお、システム制御部５０が行うものとして説明した上述の各種制御は１つのハードウェアが行ってもよいし、複数のハードウェア（例えば、複数のプロセッサーや回路）が処理を分担することで、電子機器（装置）全体の制御を行ってもよい。
【００６７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６８】
また、上述した実施形態においては、本発明をデジタルカメラに適用した場合を例にして説明したが、これはこの例に限定されず、複数の操作によって同じ設定項目の設定が可能である電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、ＶＲ装置などに適用可能である。
【００６９】
また、電子機器本体に限らず、有線または無線通信を介して電子機器（ネットワークカ
メラを含む）と通信し、電子機器を遠隔で制御する制御装置にも本発明を適用可能である。電子機器を遠隔で制御する装置としては、例えば、スマートフォンやタブレットＰＣ、デスクトップＰＣなどの装置がある。制御装置側で行われた操作や制御装置側で行われた処理に基づいて、制御装置側から電子機器に各種動作や設定を行わせるコマンドを通知することにより、電子機器を遠隔から制御可能である。また、電子機器で撮影したライブビュー画像を有線または無線通信を介して受信して制御装置側で表示できるようにしてもよい。
【００７０】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７１】
１００  デジタルカメラ、２８  表示部、５０  システム制御部、８２  タッチバー
【図１】
2020005208.tif 000003
【図２】
2020005208.tif 000004
【図３】
2020005208.tif 000005
【図４】
2020005208.tif 000006
【図５】
2020005208.tif 000007